(57)【要約】【課題】中身を見せる必要のある実用書、図鑑等の装丁本を低コストで保護することができ、常にきれいな状態で書店に並べておくことができる書籍保護カバー及び該カバーが取り付けられた書籍並びにその保護カバー付き書籍の製造方法を提供する。【解決手段】熱収縮性フィルムで構成される書籍保護カバー１であって、前記書籍保護カバーは書籍７の表表紙７ａ、裏表紙７ｃ、背部７ｂを覆い、前記書籍保護カバーは前記表表紙の内側に折り返され、かつ、前記裏表紙の内側に折り返されていることを特徴とする。【選択図】図２
2014058117.tif 000002
【特許請求の範囲】
【請求項１】
熱収縮性フィルムで構成される書籍保護カバーであって、前記書籍保護カバーは書籍の表表紙、裏表紙、背部を覆い、前記書籍保護カバーは前記表表紙の内側に折り返され、かつ、前記裏表紙の内側に折り返されていることを特徴とする書籍保護カバー。
【請求項２】
前記熱収縮性フィルムの厚さが２０μｍ〜６０μｍである請求項１に記載の書籍保護カバー。
【請求項３】
前記熱収縮性フィルムがポリエステル系シュリンクフィルム、ポリスチレン系シュリンクフィルム、ポリオレフィン系シュリンクフィルム、ポリ塩化ビニル系シュリンクフィルムのいずれかからなる請求項１または２に記載の書籍保護カバー。
【請求項４】
前記書籍保護カバーは、前記表表紙の内側に折り返されている部分、および、前記裏表紙の内側に折り返されている部分において、袋状に形成されている請求項１〜３のいずれか１項に記載の書籍保護カバー。
【請求項５】
請求項１〜４のいずれか１項に記載された書籍保護カバーが取り付けられた書籍。
【請求項６】
保護カバー付き書籍の製造方法であって、請求項１〜４のいずれか１項に記載された書籍保護カバーを書籍に取り付ける工程と、前記書籍保護カバーを熱収縮させる工程とを有する保護カバー付き書籍の製造方法。
【発明の詳細な説明】
【技術分野】
【０００１】
本発明は、書籍を熱収縮性フィルムでカバーすることによって保護する書籍保護カバー及び該カバーが取り付けられた書籍並びにその保護カバー付き書籍の製造方法に関するものである。
【背景技術】
【０００２】
近年、本の立ち読み防止及び汚れ防止対策として、特に、コミック本についてはシュリンク包装を利用したブックカバーが使用されている。
【０００３】
上記シュリンク包装に使用されるシュリンクフィルムは通常、透明であるため、カバーをかけても本の表表紙、背、裏表紙は一目でわかり、商品を探しやすいという利点があり、加えてバージン性を保証することができる。
【０００４】
コミック本用のシュリンク包装は、筒状のシュリンクフィルム内に本を入れ、本の周囲（表表紙、背部、裏表紙、小口）をヒーティングガン等で加熱することにより、シュリンクフィルムを熱収縮させ、シュリンクフィルムを本に密着させる。
【０００５】
また、本に表紙部分にシュリンクフィルムを被せて卓上シュリンク包装機に投入し、本の上縁および下縁に相当する部分のシュリンクフィルムをシールした後、カットし、内部に設けられたヒータによってシュリンクフィルムを熱収縮させ本に密着させる自動シュリンク包装装置も知られている（例えば特許文献１）。
【０００６】
上記したシュリンク包装はいずれも本の外周（胴部）にシュリンクフィルムを密着させ本を開くことができないようにするものである。
【先行技術文献】
【特許文献】
【０００７】
【特許文献１】登録実用新案第３０６７５９２号公報
【発明の概要】
【発明が解決しようとする課題】
【０００８】
しかしながら、上記した従来の書籍用シュリンク包装は、中身を開かずとも売れるようなコミック本には有効であるが、実用書、図鑑等の装丁本には適用することができないという問題がある。
【０００９】
詳しくは、実用書を購入しようとする人は、必要とする技術内容がそこに掲載されているかどうかを確かめてから購入することが多く、コミック本のように本の周囲をシュリンクフィルムでカバーしてしまうと中身が分からないため敬遠されてしまう。
【００１０】
また、図鑑については、掲載されている例えば、生物、岩石、乗り物、絵画等がいかに正確に表現されているかが購入の決め手になるため、やはり中身が見えないと敬遠されてしまう。
【００１１】
このような事情から、実用書、図鑑等の装丁本についてはカバーをしないか、またはカバーをした場合には、中身を見たいという要望がある毎にカバーを取り外さなければならない。
【００１２】
また、書店から出版社に返品する場合を想定すると、この種の本は、週刊誌とは異なり返品前の陳列期間が長いため、カバーがない状態で陳列され返品された場合には出版社側でカバー、帯を新品に交換した後、必要な書店に再版するという繁雑な作業が必要となる。
【００１３】
本発明は以上のような従来の書籍保護カバーにおける課題を考慮してなされたものであり、中身を見せる必要のある実用書、図鑑等の装丁本を低コストで保護することができ、常にきれいな状態で書店に並べておくことができる書籍保護カバー及び該カバーが取り付けられた書籍並びにその保護カバー付き書籍の製造方法を提供するものである。
【課題を解決するための手段】
【００１４】
本発明は、熱収縮性フィルムで構成される書籍保護カバーであって、前記書籍保護カバーは書籍の表表紙、裏表紙、背部を覆い、前記書籍保護カバーは前記表表紙の内側に折り返され、かつ、前記裏表紙の内側に折り返されている書籍保護カバーである。
【００１５】
本発明において、前記熱収縮性フィルムの厚さは２０μｍ〜６０μｍであることが好ましい。
【００１６】
本発明において、前記熱収縮性フィルムはポリエステル系シュリンクフィルム、ポリスチレン系シュリンクフィルム、ポリオレフィン系シュリンクフィルム、ポリ塩化ビニル系シュリンクフィルムのいずれかから選択することができる。
【００１７】
本発明において、前記書籍保護カバーは、前記表表紙の内側に折り返されている部分、および、前記裏表紙の内側に折り返されている部分において、袋状に形成されていることが好ましい。
【００１８】
また、本発明は、上記構成を有する書籍保護カバーが取り付けられた書籍を要旨とする。
【００１９】
また、本発明は、保護カバー付き書籍の製造方法であって、上記構成を有する書籍保護カバーを書籍に取り付ける工程と、前記書籍保護カバーを熱収縮させる工程とを有する保護カバー付き書籍の製造方法である。
【発明の効果】
【００２０】
本発明の書籍保護カバーによれば、本の中身を見ることができ、しかも低コストで本を保護することができる。
【００２１】
本発明に係る書籍保護カバーが取り付けられた書籍によれば、返品された場合に書籍保護カバーだけを交換すればよく、出版社側でカバー、帯を新品に交換する必要がないという長所を有する。
【００２２】
本発明の保護カバー付き書籍の製造方法によれば、簡単な方法で書籍を書籍保護カバーで包装することができるという長所を有する。
【図面の簡単な説明】
【００２３】
【図１】本発明に係る書籍保護カバーを示した斜視図である。
【図２】本発明に係る書籍保護カバーを書籍に取り付けた状態を示す斜視図である。
【発明を実施するための形態】
【００２４】
以下、図面に示した実施の形態に基づいて本発明を詳細に説明する。
【００２５】
図１は、本発明に係る書籍保護カバー（以下保護カバーと略称する）を示した斜視図であり、書籍に被せる前の状態を示している。
【００２６】
保護カバー１は、少なくとも一軸延伸されたシュリンク包装用のプラスチックフィルムから構成されており、本の表表紙部分を覆う表表紙カバー部２と、背部分を覆う背側カバー部３と、裏表紙部分を覆う裏表紙カバー部４と、表表紙カバー部２から折り返された表表紙折返し部５と、裏表紙カバー部４から折り返された裏表紙折返し部６とを有している。上記表表紙折返し部５及び上記裏表紙折返し部６はともに袋状に形成されている。
【００２７】
また、表表紙折返し部５は熱シール（図中、記号×を付した部分）によって表表紙カバー部２の上縁および下縁に接着されており、裏表紙折返し部６もまた熱シールによって裏表紙カバー部４の上縁および下縁に接着されている。
【００２８】
上記プラスチックフィルムとしてはポリエステル系、ポリスチレン系、ポリオレフィン系、ポリ塩化ビニル系のいずれかのシュリンクフィルムを使用することができる。
【００２９】
保護カバー１の厚さは２０μｍ〜６０μｍの範囲であることが好ましく、より好ましくは３０μｍ〜５０μｍである。
【００３０】
プラスチックフィルムが薄いと破れ易く、また、厚すぎるとプラスチックフィルムの収縮応力が大きくなり、熱収縮後においてカバーを施した本の表紙に反りが発生する虞がある。
【００３１】
保護カバー１の熱収縮率は、７０℃の温湯中での主収縮方向（本の胴部を囲む方向）の熱収縮率が１０〜６０％であることが好ましく、より好ましくは２０〜５０％である。
【００３２】
熱収縮率が小さすぎると本との間に緩みが生じて本に密着させることができない虞があり、また、大きすぎる場合には熱収縮後に表表紙、裏表紙に反りが発生する虞がある。
【００３３】
図２は上記保護カバー１を包装対象となる本７に取り付けた状態を示す斜視図である。なお、本７における符号７ａは表表紙、７ｂは背部、７ｃは裏表紙、７ｄは小口を示している。また、８は本７に付随している本カバーであり、８ａは表表紙カバー見返し、８ｂは裏表紙カバー見返し、９は帯である。
【００３４】
本７の保護カバー１との間には熱収縮率を見込んだ隙間が設けられており、包装対象の本の表紙幅をＬとするとき、保護カバー１の横幅Ｌ′は１．０１Ｌ〜１．３Ｌの範囲に設定される。
【００３５】
また、包装対象の本の高さをＨとするとき、保護カバー１の縦長さＨ′は１．０１Ｈ〜１．１５Ｈの範囲に設定される。
【００３６】
保護カバー１が取り付けられた本７は、次に書籍包装用のシュリンク装置（図示しない）に投入される。このシュリンク装置は、保護カバー１を本７に取り付ける工程と、保護カバー１をヒータによって熱収縮させる工程とを経時的に実行するように構成されている。
【００３７】
熱収縮工程によって保護カバー１が熱収縮すると、その保護カバー１は本７の表表紙７ａ、裏表紙７ｃに密着するが、小口７ｄについては包装の対象となっていないため、シュリンク包装を行った後でも本の中身を自由に見ることができる。
【００３８】
なお、本７には通常、本カバー８、帯９が付装されているため、保護カバー１は表紙とともにこれらを含めて包装する。
【００３９】
また、この保護カバー１には、簡単に取り外しができるように、例えば背側カバー部３にノッチを入れてもよく、また、縦方向にミシン目を入れることもできる。
【００４０】
また、保護カバー１には例えば販売店名の文字やロゴ、装飾のための着色や図柄、分類のための記号等を印刷することができる。
【実施例】
【００４１】
包装対象の本としてハリーポッター英語版を用意し、上記構成を有する保護カバー１の素材として下記に示す各シュリンクフィルムを使用した。
【００４２】
【表１】
2014058117.tif 000003
【００４３】
保護カバー１の横幅Ｌ′は１．１Ｌとし、縦長さＨ′は１．０３Ｈとした。
【００４４】
保護カバー１を取り付けた本をシュリンク装置に投入し保護カバー１を熱収縮させ本の表紙に密着させた。
上記各シュリンクフィルムを用いて包装を行った結果、いずれもたるむことなく本の表紙を密着包装することができた。
【符号の説明】
【００４５】
１    保護カバー
２    表表紙カバー部
３    背側カバー部
４    裏表紙カバー部
５    表表紙折返し部
６    裏表紙折返し部
７    本
７ａ  表表紙
７ｂ  背部
７ｃ  裏表紙
７ｄ  小口
８    本カバー
８ａ  表表紙カバー見返し
８ｂ  裏表紙カバー見返し
９    帯
【図１】
2014058117.tif 000004
【図２】
2014058117.tif 000005